(57)【要約】【課題】補助端子８の封止のための外部絶縁封止材６とは分離された回り止め部材１０によって外部端子４の回り止めを行うことにより、この外部端子４の締め付けトルクが気密性や導電性を損なうようなおそれのない電池を提供する。【解決手段】蓋板３の端子引出貫通孔３ａを通して第１かしめ筒８ｂが電池容器１内部に貫入し集電接続体５を介して発電要素２の電極の金属箔２ａに接続されると共に、この蓋板３に絶縁封止材６、７を介して封止固着された補助端子８と、補助端子８の上部に一端部が接続固定されると共に、他端部に端子貫通孔９ｂが形成された接続導体９と、台座部４ａの上方に突出するボルト部４ｂが接続導体９の端子貫通孔９ｂに下方から貫通する外部端子４と、蓋板３上に固着され、外部端子４の台座部４ａを係止することによりこの外部端子４の回転を制限する回り止め部材１０とを備えた構成とする。【選択図】図１
2010097764.tif 000002
【特許請求の範囲】
【請求項１】
発電要素を収納した電池容器の上端開口部を蓋板で塞いだ電池において、
蓋板の端子引出貫通孔を通して下部が電池容器内部に貫入し発電要素の電極に接続されると共に、この蓋板に封止材を介して封止固着された補助端子と、
補助端子の上部に一部が接続固定されると共に、他の部位に端子接続部が形成された接続導体と、
台座部とこの台座部の上方に突出するボルト部とを備え、接続導体の端子接続部にこのボルト部を接続させた外部端子と、
蓋板上で外部端子の台座部を係止する回り止め部材と
を備えたことを特徴とする電池。
【請求項２】
請求項１に記載の電池において、接続導体に代えて、補助端子に、この補助端子の上部から引き出され、この引き出された部分に端子接続部が形成された接続導体部が設けられたことを特徴とする電池。
【請求項３】
前記外部端子の台座部が、底面に上方に向けて、ボルト部の軸線に対して回転体でない形状の凹部が形成されたものであり、
前記回り止め部材が、底面を蓋板上に固着された上方に突出する樹脂製の柱体であって、台座部の凹部に嵌合する横断面形状を有するものであり、この横断面形状の柱体を台座部の凹部に嵌合させることにより、ボルト部の軸線を中心とした外部端子の回転を制限するものであることを特徴とする請求項１又は請求項２に記載の電池。
【請求項４】
前記外部端子の台座部が、ボルト部の軸線に対して回転体でない横断面形状の柱体からなり、
前記回り止め部材が、底面を蓋板上に固着され、上面に下方に向けて、台座部に嵌合する形状の凹部が形成された樹脂製の部材であり、この凹部に台座部を嵌合させることにより、ボルト部の軸線を中心とした外部端子の回転を制限するものであることを特徴とする請求項１又は請求項２に記載の電池。
【請求項５】
請求項１乃至請求項４のいずれかに記載の電池において、外部端子が、ボルト部に代えて、台座部から上方に突出し、この突出上端面に下方を向くねじ穴が穿設された突出部を有することを特徴とする電池。
【請求項６】
前記電池が非水電解質二次電池であり、正極端子側の前記補助端子がアルミニウム又はアルミニウム合金からなり、負極端子側の前記補助端子が銅又は銅合金からなり、外部端子が鉄又は鋼からなることを特徴とする請求項１乃至請求項５のいずれかに記載の電池。
【発明の詳細な説明】
【技術分野】
【０００１】
本発明は、発電要素を収納した電池容器の上端開口部を塞ぐ蓋板に端子を設けた電池に関するものである。
【背景技術】
【０００２】
図６に従来の大型の非水電解質二次電池の端子の取り付け構造を示す（例えば、特許文献１の第６図〜第８図参照。）。この非水電解質二次電池は、電池容器１内に長円筒形の巻回型の発電要素２を収納し、電池容器１の上端開口部を蓋板３で塞いで密閉したものである。発電要素２には、左右の端部に電極の金属箔２ａ、２ａが巻回された巻き束状のままはみ出していて、これらの金属箔２ａ、２ａには集電接続体５、５が接続されている。また、蓋板３には、左右の端部に外部端子４、４が取り付けられている。
【０００３】
外部端子４は、高さの低い円柱状の台座部４ａの上面からボルト部４ｂが上方に突設されると共に、この台座部４ａの下面からかしめ筒４ｃが下方に突設されたものである。そして、正極側と負極側の外部端子４、４のかしめ筒４ｃ、４ｃは、蓋板３の左右端部の上面に配置された外部絶縁封止材６、６の貫通孔と、蓋板３の左右端部の端子引出貫通孔３ａ、３ａと、蓋板３の左右端部の下面に配置された内部絶縁封止材７、７の貫通孔を通して、この蓋板３の上方から電池容器１内に嵌入すると共に、集電接続体５、５の上部の水平に折り曲がった接続部５ａ、５ａに形成された貫通孔にも通して下方からかしめられる。従って、外部端子４は、かしめ筒４ｃがかしめによって集電接続体５に接続され、発電要素２の電極の金属箔２ａにも接続されると共に、絶縁封止材６、７を介して蓋板３を挟持するので、この蓋板３に絶縁封止された状態で固着されることになる。
【０００４】
ところが、このような外部端子４の取り付け構造では、非水電解質二次電池を外部機器と接続するためにリード線の圧着端子等を外部端子４のボルト部４ｂに嵌めてナット等で締め付けた場合、特にこのようなナット等の着脱を繰り返した場合に、締め付けトルクがかしめ筒４ｃのかしめ部に直接加わり、集電接続体５の接続部５ａとのかしめが緩んで外部端子４だけが空転するおそれがある。そして、外部端子４が空転すると、集電接続体５との接触電気抵抗が大きくなって電池性能が低下するだけでなく、絶縁封止材６、７との間にも隙間が生じて電池容器１内の密閉が不完全になるという問題が生じる。
【０００５】
しかも、非水電解質二次電池の場合、正極側の外部端子４にアルミニウム合金が用いられることが多いので、ボルト部４ｂをナット等で強く締め付けたり、このようなナット等の着脱を繰り返すと、このボルト部４ｂのねじ山が破損するという問題もあった。
【０００６】
そこで、従来は、外部端子４の台座部４ａを横断面が四角形や六角形等の多角柱状とし、外部絶縁封止材６にも同様の形状の外部端子凹部を設け、この外部絶縁封止材６の外部端子凹部に台座部４ａを嵌合させて外部端子４の回り止めを行わせようという提案もあった（例えば、特許文献１の第１図〜第５図参照。）。
【０００７】
しかしながら、このような外部端子４の取り付け構造でも、台座部４ａと外部絶縁封止材６の外部端子凹部との嵌合の若干の隙間によって外部端子４が僅かな角度だけ空転するおそれがあり、かしめ筒４ｃと集電接続体５の接続部５ａとのかしめが緩むのを完全に防ぐことはできないという問題がある。しかも、ボルト部４ｂをナット等で締め付けたときの締め付けトルクは、外部絶縁封止材６にも直接加わることになり、この外部絶縁封止材６に大きなストレスがかかって気密性が損なわれるおそれがあるという問題も生じる。
【０００８】
このため、従来は図７に示すような外部端子４の取り付け構造も提案されていた（例えば、特許文献２参照。）。この場合の外部端子４は、台座部４ａが六角柱状に形成されると共に、この台座部４ａの上面からはボルト部４ｂが突設されるが、下面にはかしめ筒が突設されない。また、外部絶縁封止材６の上面にも同様の六角形の外部端子凹部６ａを設け、この外部端子凹部６ａに台座部４ａを嵌合させて外部端子４の回り止めを行わせようにしている。
【０００９】
上記外部絶縁封止材６の上面には、補助端子凹部６ｂも設けられ、この補助端子凹部６ｂには、補助端子８の台座部８ａが嵌合するようになっている。補助端子８は、台座部８ａの下面から第１かしめ筒８ｂが下方に突設されると共に、この台座部８ａの上面から第２かしめ筒８ｃが上方に突設されたものである。そして、正極側と負極側の補助端子８、８の第１かしめ筒８ｂ、８ｂは、外部絶縁封止材６、６の補助端子凹部６ｂ、６ｂの底面に形成された貫通孔と、蓋板３の左右端部の端子引出貫通孔３ａ、３ａと、内部絶縁封止材７、７の貫通孔を通して、この蓋板３の上方から電池容器１内に嵌入すると共に、集電接続体５、５の接続部５ａ、５ａに形成された貫通孔にも通して下方からかしめられる。従って、補助端子８は、第１かしめ筒８ｂと集電接続体５の接続部５ａとのかしめによる接続部を介して発電要素２の金属箔２ａに接続されると共に、絶縁封止材６、７を介して蓋板３を挟持するので、この蓋板３に対して絶縁封止された状態で固着されることになる。
【００１０】
また、上記補助端子８の第２かしめ筒８ｃと外部端子４のボルト部４ｂには、接続導体９が取り付けられる。接続導体９は、ほぼ長方形状の板材であり、一端部にはかしめ孔９ａが形成されると共に、他端部には端子貫通孔９ｂが形成されている。そして、この接続導体９は、端子貫通孔９ｂに外部端子４のボルト部４ｂが下方から挿入されると共に、かしめ孔９ａに補助端子８の第２かしめ筒８ｃが下方から挿入されて上方からかしめられる。従って、外部端子４は、外部機器との接続のためにボルト部４ｂをナット等で締め付けると、接続導体９を介して補助端子８に接続固定され、これによって発電要素２の電極の金属箔２ａにも接続されることになる。
【００１１】
このような外部端子４の取り付け構造を用いれば、ボルト部４ｂをナット等で締め付けても、締め付けトルクは補助端子８には直接加わらないので、集電接続体５の接続部５ａとのかしめが緩むようなおそれはなくなる。しかも、非水電解質二次電池の場合であっても、正極側の補助端子８だけにアルミニウム合金を用い、外部端子４には鉄やステンレス等の綱、その他の強度の高い金属材を用いることができるので、ナット等の締め付けによってボルト部４ｂのねじ山が破損するようなこともなくなる。
【００１２】
なお、外部端子の台座部に凸部を設け、この凸部を樹脂製の蓋板の凹穴に挿入して外部端子の回り止めを行う発明も従来から提案されている（例えば、特許文献３参照。）。しかしながら、外部端子に締め付けトルクが加わると、凸部と凹穴との係合のみによって回り止めを行うので、この係合の若干の隙間によって外部端子が僅かな角度だけ空転するおそがあり、発電要素の電極との間の接続が損なわれるのを十分に防ぐことはできない。
【特許文献１】特開２００１−３５７８３３号公報
【特許文献２】特開２００３−３４６７７４号公報（第２頁、第３図）
【特許文献３】特開平１０−１２５２９１号公報
【発明の開示】
【発明が解決しようとする課題】
【００１３】
ところが、発明者らがさらに検討を重ねたところ、上述したような外部端子４の取り付け構造であっても、ボルト部４ｂをナット等で締め付けると、締め付けトルクは外部絶縁封止材６の外部端子凹部６ａに直接加わるので、補助端子８の第１かしめ筒８ｂをかしめることにより蓋板３との間の封止を行う外部絶縁封止材６に大きなストレスがかかって高いレベルでの気密性が損なわれるのを確実に避けることができないという問題があることを見いだした。即ち、外部絶縁封止材６は、蓋板３の上面に強く圧迫される他に、ねじれ方向の大きな力を受けるので、素材の僅かな変形によって蓋板３との界面に微小な隙間を生じて密閉が不完全になるおそれが生じるのである。また、この外部絶縁封止材６が蓋板３に対して回り止めがなされていても、この回り止めとの間の若干の隙間によって外部絶縁封止材６自体が僅かに位置ずれするおそれがあり、これによって蓋板３との界面に微小な隙間を生じて密閉が不完全になるおそれが生じるのである。
【００１４】
本発明は、補助端子の封止のための外部絶縁封止材とは分離された回り止め部材によって外部端子の回り止めを行うことにより、この外部端子の締め付けトルクが気密性や導電性を損なうようなおそれのない電池を提供しようとするものである。
【課題を解決するための手段】
【００１５】
請求項１の発明は、発電要素を収納した電池容器の上端開口部を蓋板で塞いだ電池において、蓋板の端子引出貫通孔を通して下部が電池容器内部に貫入し発電要素の電極に接続されると共に、この蓋板に封止材を介して封止固着された補助端子と、補助端子の上部に一部が接続固定されると共に、他の部位に端子接続部が形成された接続導体と、台座部とこの台座部の上方に突出するボルト部とを備え、接続導体の端子接続部にこのボルト部を接続させた外部端子と、蓋板上で外部端子の台座部を係止する回り止め部材とを備えたことを特徴とする。
【００１６】
請求項２の発明は、前記電池において、接続導体に代えて、補助端子に、この補助端子の上部から引き出され、この引き出された部分に端子接続部が形成された接続導体部が設けられたことを特徴とする。
【００１７】
請求項３の発明は、前記外部端子の台座部が、底面に上方に向けて、ボルト部の軸線に対して回転体でない形状の凹部が形成されたものであり、前記回り止め部材が、底面を蓋板上に固着された上方に突出する樹脂製の柱体であって、台座部の凹部に嵌合する横断面形状を有するものであり、この横断面形状の柱体を台座部の凹部に嵌合させることにより、ボルト部の軸線を中心とした外部端子の回転を制限するものであることを特徴とする。
【００１８】
請求項４の発明は、前記外部端子の台座部が、ボルト部の軸線に対して回転体でない横断面形状の柱体からなり、前記回り止め部材が、底面を蓋板上に固着され、上面に下方に向けて、台座部に嵌合する形状の凹部が形成された樹脂製の部材であり、この凹部に台座部を嵌合させることにより、ボルト部の軸線を中心とした外部端子の回転を制限するものであることを特徴とする。
【００１９】
請求項５の発明は、前記電池において、外部端子が、ボルト部に代えて、台座部から上方に突出し、この突出上端面に下方を向くねじ穴が穿設された突出部を有することを特徴とする。
【００２０】
請求項６の発明は、前記電池が非水電解質二次電池であり、正極端子側の前記補助端子がアルミニウム又はアルミニウム合金からなり、負極端子側の前記補助端子が銅又は銅合金からなり、外部端子が鉄又は鋼からなることを特徴とする。
【発明の効果】
【００２１】
請求項１の発明によれば、外部機器に接続される外部端子と電池容器の内部で発電要素の電極に接続される補助端子とが接続導体を介して間接的に接続されることにより、部品としては分離されているので、外部端子のボルト部に加わる締め付けトルクが補助端子にも加わるということがなくなり、補助端子と蓋板との間の封止材による封止が損なわれるおそれが生じないだけでなく、この補助端子と発電要素の電極との間の接続が損なわれるおそれも生じない。また、補助端子と蓋板との間の封止材と外部端子の回り止めを行う回り止め部材とが部品として分離されているので、外部端子の空転は回り止め部材によって制限され、しかも、外部端子のボルト部に加わった締め付けトルクが補助端子と蓋板との間の封止を損なうおそれも生じない。
【００２２】
なお、接続導体の端子接続部は、外部端子のボルト部が下方から貫通するような端子貫通孔であることが好ましい。また、回り止め部材は、蓋板上に固着されたものであることが好ましい。
【００２３】
請求項２の発明によれば、接続導体の一部をかしめ等により補助端子に接続固定する作業工数と部品点数を削減することができる。
【００２４】
請求項３の発明によれば、外部端子の台座部の凹部に回転体でない横断面形状の回り止め部材が嵌合するので、外部端子の回り止めを確実に行うことができる。
【００２５】
請求項４の発明によれば、回転体でない横断面形状の外部端子の台座部が回り止め部材の凹部に嵌合するので、外部端子の回り止めを確実に行うことができる。
【００２６】
請求項５の発明によれば、ボルト部に代えてねじ穴が穿設された外部端子の場合にも同様の効果を得ることができる。
【００２７】
請求項６の発明によれば、外部機器との接続のためのナット等による締め付けが、強度の弱いアルミニウム等からなる補助端子ではなく、強度の強い鉄等からなる外部端子で行われるので、この外部端子のボルト部やねじ穴のねじ山が破損するのを防止することができる。
【発明を実施するための最良の形態】
【００２８】
以下、本発明の最良の実施形態について図１〜図５を参照して説明する。なお、これらの図においても、図６〜図７に示した従来例と同様の機能を有する構成部材には同じ番号を付記する。
【００２９】
本実施形態は、図６〜図７に示した従来例と同様に、大型の非水電解質二次電池について説明する。この非水電解質二次電池は、図１及び図２に示すように、電池容器１内に長円筒形の巻回型の発電要素２を収納し、電池容器１の上端開口部を蓋板３で塞いで密閉したものである。
【００３０】
発電要素２は、帯状の電極である正極と負極をセパレータを介し左右の異なる方向にずらして、左右方向の回転軸を中心に上下に長円となる長円筒形に巻回したものである。正極は、アルミニウム箔の表面に正極活物質を担持させたものであり、負極は、銅箔の表面に負極活物質を担持させたものであるが、それぞれ左右のずらす方向の端縁部を活物質の未塗工部とすることによりアルミニウム箔や銅箔が露出するようになっている。従って、発電要素２の左右の端部には、これら電極の金属箔２ａ、２ａが巻回された巻き束状のままはみ出している。
【００３１】
上記発電要素２の左右の端部にはみ出した金属箔２ａ、２ａには、それぞれ集電接続体５、５が接続されている。集電接続体５は、正極側ではアルミニウム又はアルミニウム合金からなり、負極側では銅又は銅合金からなる上下に長い導電金属板であり、上部は水平に折り曲げられると共に貫通孔が形成されて接続部５ａとなり、この接続部５ａより下方の部分は前後に二股に分けられて下方に突出している。そして、この集電接続体５の下方の二股に分けられた部分が発電要素２の金属箔２ａと共に挟持板に挟まれて超音波溶接等により接続固定される。
【００３２】
電池容器１と蓋板３は、アルミニウム合金や鋼等からなり、電池容器１は左右方向に長い方形の金属容器であり、蓋板３は、左右に細長い方形の金属板である。そして、この蓋板３は、後に電池容器１の上端開口部に嵌め込まれてレーザ溶接等により内部を密閉することになる。
【００３３】
上記蓋板３には、左右の端部に端子引出貫通孔３ａ、３ａ（左側の端子引出貫通孔３ａは部品の陰になって見えない）が開口され、ここに外部絶縁封止材６、６と内部絶縁封止材７、７を介して補助端子８、８が取り付けられる。補助端子８は、正極側ではアルミニウム又はアルミニウム合金からなり、負極側では銅又は銅合金からなる導電金属部品である。この補助端子８は、高さが低い八角柱状の台座部８ａの下面から第１かしめ筒８ｂが下方に突設されると共に、この台座部８ａの上面から第２かしめ筒８ｃが上方に突設されている。
【００３４】
外部絶縁封止材６と内部絶縁封止材７は、絶縁性と封止性を備えた合成樹脂からなる。外部絶縁封止材６は、補助端子８の台座部８ａよりは一回り大きい八角柱体からなり、上面にこの台座部８ａが嵌合する形状の補助端子凹部６ｂが設けられている。また、この外部絶縁封止材６には、補助端子凹部６ｂの底面に貫通孔が形成されると共に、この貫通孔の下面開口部はスリーブ状に下方に突出している（図２参照）。内部絶縁封止材７は、貫通孔が形成された板材である。
【００３５】
上記外部絶縁封止材６は、蓋板３の上面に配置され、スリーブ状に突出した部分が端子引出貫通孔３ａに嵌入される。また、内部絶縁封止材７は、蓋板３の下面に配置され、端子引出貫通孔３ａから下方に突出する外部絶縁封止材６のスリーブ状に突出した部分が貫通孔に嵌入される。そして、補助端子８は、台座部８ａを外部絶縁封止材６の補助端子凹部６ｂに嵌め込むと共に、第１かしめ筒８ｂをこの補助端子凹部６ｂの底面の貫通孔と蓋板３の端子引出貫通孔３ａと内部絶縁封止材７の貫通孔とを介して、集電接続体５の接続部５ａの貫通孔に通し、この接続部５ａの貫通孔から下方に突出する部分を下方からかしめることにより蓋板３に取り付けられる。従って、この補助端子８は、第１かしめ筒８ｂと集電接続体５の接続部５ａとのかしめによる接続部を介して発電要素２の金属箔２ａに接続されると共に、絶縁封止材６、７を介して蓋板３を挟持するので、この蓋板３に対して絶縁封止された状態で固着されることになる。
【００３６】
上記蓋板３には、上面における端子引出貫通孔３ａ、３ａの左右の外側にそれぞれ回り止め部材１０、１０（左側の回り止め部材１０は部品の陰になって見えない）が固着されている。回り止め部材１０は、ポリフェニレンサルファイド（ＰＰＳ）等の合成樹脂製の高さの低い四角柱状のブロックであり、蓋板３の上面におけるこの回り止め部材１０の固着位置の金属面が微細な凹凸面となるように加工した後に、この上方を囲むように金型を配置して溶融した樹脂を流し込み固化させて成形したものである。なお、この回り止め部材１０は、ブロック状に成形したものを接着剤や熱溶着により蓋板３の上面に固着させてもよいが、蓋板３の表面を処理して直接射出成形したものの方がより強固に固着させることができる。
【００３７】
上記回り止め部材１０の上には外部端子４が配置される。外部端子４は、非水電解質二次電池を外部機器と接続するためのものであり、鉄やステンレス鋼、クロムモリブデン鋼等の鋼、その他の強度の高い導電金属材からなる。この外部端子４は、高さの低い四角柱ではあるが、回り止め部材１０よりは一回り大きい台座部４ａの上面からボルト部４ｂを上方に突設したものである。また、この台座部４ａの下面には上方に向けて、回り止め部材１０が嵌合する形状の回り止め凹部４ｄが設けられている。そして、外部端子４は、台座部４ａの回り止め凹部４ｄを回り止め部材１０に被せるようにして、この回り止め部材１０の上に載置される。ただし、外部端子４の台座部４ａの回り止め凹部４ｄの深さは、回り止め部材１０の高さより少し浅いので、この台座部４ａの下面は、蓋板３の上面よりも上方に浮いた状態となる。
【００３８】
上記補助端子８の第２かしめ筒８ｃと外部端子４のボルト部４ｂには、接続導体９が取り付けられる。接続導体９は、銅合金等の導電金属材からなるほぼ長方形状の板材であり、表面には防錆等の他、滑りを良くするためにニッケルメッキが施されている。この接続導体９は、一端部にかしめ孔９ａが形成されると共に、他端部に端子貫通孔９ｂが形成されている。そして、この接続導体９は、端子貫通孔９ｂに外部端子４のボルト部４ｂが下方から挿入されると共に、かしめ孔９ａに補助端子８の第２かしめ筒８ｃが下方から挿入されて上方からかしめられる。従って、接続導体９は、補助端子８には接続固定されるが、外部端子４はボルト部４ｂが端子貫通孔９ｂに嵌入しているだけとなる。なお、平板状の接続導体９を補助端子８にかしめによって確実に固定するためには、補助端子８の台座部８ａの上面と回り止め部材１０の上に載置した外部端子４の台座部４ａの上面は、面一か外部端子４の台座部４ａの上面の方が僅かに低いことが好ましい。もっとも、外部端子４が持ち上がり台座部４ａの上面が接続導体９の下面に当接した際に、回り止め凹部４ｄと回り止め部材１０との嵌合が外れるようでは、この回り止め部材１０が外部端子４の回り止めを行うことができないので、台座部４ａの上面は低すぎてはいけない。
【００３９】
上記構成の非水電解質二次電池の外部端子４は、例えば図示しない外部機器のリード線の圧着端子をボルト部４ｂに嵌めてナットを螺着する。すると、外部端子４は、通常は僅かに持ち上がって、台座部４ａの上面を接続導体９の下面に押し付け、ナットとの間でリード線の圧着端子と共にこの接続導体９を挟持圧迫するので、これら圧着端子と外部端子４と接続導体９とが接続される。従って、リード線の圧着端子は、接続導体９と補助端子８と集電接続体５とを介して発電要素２の電極（金属箔２ａ）に接続され、これによって外部機器が非水電解質二次電池と接続される。
【００４０】
しかも、ナットをボルト部４ｂに締め付ける際に回転しようとする外部端子４は、回り止め凹部４ｄに嵌合した回り止め部材１０によって確実に回り止めされる。なお、この際、回り止め部材１０と回り止め凹部４ｄとの嵌合による多少の隙間によって外部端子４がある程度の角度だけ空転したとしても、接続や封止に支障が生じるおそれは全くない。
【００４１】
また、このときボルト部４ｂに加わった締め付けトルクは、外部端子４とは分離された補助端子８にトルクとして伝わることはないので、この補助端子８が空転して集電接続体５の接続部５ａとのかしめが緩み接続が損なわれたり、絶縁封止材６、７と蓋板３との間の封止が損なわれるようなおそれも生じない。なお、ナットによる締め付けトルクは、ボルト部４ｂの軸線を中心として接続導体９を回転させるような力も生じるが、このような力は補助端子８にとっては第２かしめ筒８ｃを前後方向に押す方向の力となるので、これによって接続や封止が損なわれる心配はない。特に、本実施形態では、接続導体９の表面に滑りを良くするためのニッケルメッキが施されているので、ナットによる締め付けが行われても、接続導体９を回転させるような力がほとんど生じない。
【００４２】
さらに、回り止め部材１０は、ナットによる締め付けの際に、外部端子４の回り止めを行うので、大きな締め付けトルクを受けることになる。しかし、この回り止め部材１０は、蓋板３上で外部絶縁封止材６とは分離されているので、補助端子８の封止を行う外部絶縁封止材６に締め付けトルクが加わることはなく、このため外部絶縁封止材６による封止が損なわれるおそれも生じない。
【００４３】
さらに、ナットによる締め付けトルクは、鉄や鋼等の強度の高い導電金属材からなる外部端子４にのみ加わり、強度が弱いアルミニウム又はアルミニウム合金からなる正極側の補助端子８や強度が比較的弱い銅又は銅合金からなる負極側の補助端子８には加わらないので、ナットを強く締め付けたり、このようなナットの着脱を繰り返しても、ボルト部４ｂのねじ山が破損するようなおそれがなくなる。
【００４４】
なお、上記実施形態では、四角柱状の回り止め部材１０を台座部４ａの回り止め凹部４ｄに嵌合させることにより外部端子４の回り止めを行う場合を示したが、台座部４ａを回り止め部材１０に係止することによりボルト部４ｂの軸線を中心とした外部端子４の回転を制限することができるものであれば、これら台座部４ａと回り止め部材１０の形状は任意である。
【００４５】
例えば、図３には、外部端子４の台座部４ａを四角柱状とし、回り止め部材１０をこの台座部４ａよりも一回り大きい四角柱状とすると共に、上面にこの台座部４ａが嵌合する形状の回り止め凹部１０ａを形成した場合を示す。この場合も、台座部４ａが回り止め部材１０の回り止め凹部１０ａに嵌まり込むことにより、外部端子４の回り止めを行うことができる。図１や図３に示すように回り止め部材１０と台座部４ａが柱体を凹部に嵌合させて回り止めを行う場合には、この柱体や凹部の横断面形状がボルト部４ｂの軸線を中心とした回転体ではない形状であれば、どのような形状であってもよく、四角柱状以外の任意の多角柱状を用いてもよい。
【００４６】
また、例えば図４には、図３に示した回り止め部材１０の回り止め凹部１０ａが四角形に窪んだ凹部ではなく、溝状の凹部である場合を示す。この場合も、台座部４ａがこの溝状の回り止め凹部１０ａに嵌まり込んで溝の縁部によって回転を制限されることにより、外部端子４の回り止めを行うことができる。さらに、例えば図５には、台座部４ａの下面と回り止め部材１０の上面に畝状の凹凸を形成することにより、これらの凹凸が互いに噛み合って外部端子４の回り止めを行う場合を示す。
【００４７】
また、上記実施形態では、合成樹脂製の回り止め部材１０を用いる場合を示したが、絶縁性を有しある程度以上の強度を有するものであれば、例えばセラミックス等の任意の材料を用いることができる。さらに、蓋板３が外部端子４と導通してもよい場合や蓋板３が絶縁性の材料からなる場合等のように、外部端子４の絶縁を考慮しなくてもよい事情がある場合には、絶縁性がなくても、ある程度以上の強度を有するものであれば、例えば金属等の任意の材料を用いることができる。さらに、この回り止め部材１０の蓋板３上への固着も、回り止め部材１０の材料に応じた、例えば金属材料同士であれば溶接等の任意の手段を用いることができる。さらに、この回り止め部材１０は、蓋板３上に固着されたものに限らず、この蓋板３上にこの蓋板３と一体化して配置されたものであればよく、例えばこの蓋板３の一部を加工したものであってもよい。
【００４８】
また、上記実施形態では、集電接続体５と補助端子８が正極側ではアルミニウム又はアルミニウム合金からなり負極側では銅又は銅合金からなる場合を示したが、電池の種類に応じた導電金属材料であれば、これらの材料は任意である。さらに、上記実施形態では、外部端子４と接続導体９の材料についても例示したが、強度や導電性等の特性が適合する導電金属材料であれば、これらの材料も任意である。
【００４９】
また、上記実施形態では、外部端子４の台座部４ａの上面からボルト部４ｂが突設される場合を示したが、このボルト部４ｂの代わりに、円筒形や多角形の筒状等の適宜形状の突出部が突設され、この突出部の上端面にねじ穴が穿設されているような場合であっても、同様に実施可能である。
【００５０】
また、上記実施形態では、補助端子８の第２かしめ筒８ｃを接続導体９のかしめ孔９ａに通してかしめることにより接続固定する場合を示したが、補助端子８と接続導体９の接続固定手段は任意であり、例えば補助端子８の台座部８ａの上面に接続導体９の一端部を溶接等により固着して接続固定することもできる。
【００５１】
また、接続導体９の他端部に形成されるのは、下方から外部端子４のボルト部を貫通させて接続するようにした端子貫通孔９ｂに限らず、このボルト部４ｂが接続されるようになった端子接続部であればどのようなものでもよく、例えば切欠き溝のようなものであってもよい。さらに、この接続導体９は、他端部に端子接続部が形成されていれば、必ずしも板状である必要はない。さらに、接続導体９が補助端子８に接続固定されるのは一端部に限らず、接続導体９の一部であればどの部位でもよく、端子接続部も、この補助端子８に接続固定される部位以外の他の部位であればどこに形成されていてもよい。
【００５２】
また、上記実施形態では、接続導体９を用いる場合を示したが、この接続導体９に代えて、補助端子８の上部から引き出され、この引き出された部分に端子接続部が形成された接続導体部を用いるようにしてもよい。この場合、接続導体部は、補助端子８と一体のものであるため、接続導体９が不要となり部品点数を削減できると共に、この接続導体９とのかしめ作業が不要となるので、組み立て作業工数も削減できる。
【００５３】
また、上記実施形態では、補助端子８と発電要素２の電極との間の接続を集電接続体５を介して行う場合を示したが、この補助端子８と電極との間の接続構造は任意であり、上記実施形態とは異なる集電接続体を用いてもよいし、他の手段によって接続を行うようにしてもよい。さらに、発電要素２も、長円筒形の巻回型のものには限定されず、他の形状のものでもよく、積層型のものであってもよい。
【００５４】
また、上記実施形態では、補助端子８の台座部８ａや外部絶縁封止材６が八角柱状である場合を示したが、これら台座部８ａや外部絶縁封止材６の形状は任意であり、外部絶縁封止材６にも、必ずしも補助端子凹部６ｂを設ける必要はない。さらに、上記実施形態では、補助端子８が台座部８ａの下面から第１かしめ筒８ｂを突設したものである場合を示したが、上部が蓋板３上に配置され、下部が端子引出貫通孔３ａを通して電池容器１内部に嵌入していれば、必ずしも台座部８ａや第１かしめ筒８ｂを有する必要はなく、特に第１かしめ筒８ｂは、上記補助端子８と電極との間の接続構造に応じて任意の構成のものに変更することができる。
【００５５】
また、上記実施形態では、封止材として外部絶縁封止材６と内部絶縁封止材７を用いる場合を示したが、補助端子８と蓋板３との間の封止するものであれば任意の封止材を用いることができる。例えば、補助端子８には締め付けトルクが加わらないので、ハーメチックシールによって蓋板３に封止固着してもよいし、シート状や接着剤状の封止材を用いることもできる。
【００５６】
また、上記実施形態では、電池容器１や蓋板３がアルミニウム合金や鋼等からなる場合を示したが、これら電池容器１や蓋板３の材質は任意であり、金属以外の例えば絶縁性の材質のものを用いることもできる。さらに、これら電池容器１と蓋板３の形状や構造も、上記実施形態に限定されず任意である。
【００５７】
また、上記実施形態では、大型の非水電解質二次電池について説明したが、電池の種類や大きさ（容量）も任意である。本発明は、これらの電池の中で、高い気密性が求められる密閉形電池に特に好適に適用できる。
【図面の簡単な説明】
【００５８】
【図１】本発明の一実施形態を示すものであって、非水電解質二次電池の構造を示す分解斜視図である。
【図２】本発明の一実施形態を示すものであって、非水電解質二次電池の外部端子の取り付け構造を示す部分拡大縦断面正面図である。
【図３】本発明の他の実施形態を示すものであって、回り止め部材に回り止め凹部を設けた場合の一部省略分解斜視図である。
【図４】本発明の他の実施形態を示すものであって、回り止め部材の回り止め凹部を溝状とした場合の一部省略分解斜視図である。
【図５】本発明の他の実施形態を示すものであって、外部端子の台座部と回り止め部材に畝状の凹凸を形成した一部省略分解斜視図である。
【図６】従来例を示すものであって、非水電解質二次電池の構造を示す分解斜視図である。
【図７】他の従来例を示すものであって、非水電解質二次電池の構造を示す分解斜視図である。
【符号の説明】
【００５９】
１    電池容器
２    発電要素
２ａ  金属箔
３    蓋板
３ａ  端子引出貫通孔
４    外部端子
４ａ  台座部
４ｂ  ボルト部
４ｃ  かしめ筒
４ｄ  回り止め凹部
５    集電接続体
５ａ  接続部
６    外部絶縁封止材
６ａ  外部端子凹部
６ｂ  補助端子凹部
７    内部絶縁封止材
８    補助端子
８ａ  台座部
８ｂ  第１かしめ筒
８ｃ  第２かしめ筒
９    接続導体
９ａ  かしめ孔
９ｂ  端子貫通孔
１０    回り止め部材
１０ａ  回り止め凹部
【図１】
2010097764.tif 000003
【図２】
2010097764.tif 000004
【図３】
2010097764.tif 000005
【図４】
2010097764.tif 000006
【図５】
2010097764.tif 000007
【図６】
2010097764.tif 000008
【図７】
2010097764.tif 000009